(57)【要約】【課題】  夕暮れ、深夜、早朝等の暗い釣り場で、懐中電灯を必要とせず、熟練を要することなく道糸通し用リード棒に道糸を係止でき、簡易迅速に振出竿の道糸ガイド環に道糸通しできる竿先カバーを提供する。【解決手段】  先端を閉じた筒状体２の竿先カバー１を有し、竿先カバー１の筒状体２の先端内に一端ａを係止し他端を筒状体２内の空隙を貫通して後端から後方に伸びる道糸通し用リード棒４を有する竿先カバー１において、道糸通し用リード棒４を有する竿先カバー１の筒状体２の先端部に発光部３を配設し、道糸通し用リード棒４を光ファイバーから形成し、発光部３に光ファイバーからなる道糸通し用リード棒４の先端４ａを接続し、発光部３から発する光を発光部３の後端から後方に伸びる光ファイバー製の道糸通し用リード棒４に通して発光部３の先端の表層部３ａに加えて道糸通し用リード棒４の後端４ｂでも発光により照明せしめる。【選択図】      図３
2006166786.tif 000002
【特許請求の範囲】
【請求項１】
閉じた筒状体の先端部に一端を係止し、かつ、該筒状体内に引き込められた複数の番竿の道糸ガイド環を貫通し該筒状体の後端外部に後端を延ばした道糸通し用リード棒を有する振出竿の竿先カバーにおいて、該道糸通し用リード棒を光ファイバーから形成し、該竿先カバーの筒状体の先端部に発光部を配設し、該発光部に該道糸通し用リード棒の先端を接続し、該道糸通し用リード棒の後端を該発光部から発する光の照明部としたことを特徴とする振出竿の道糸ガイド環への道糸通し用光ファイバー製リード棒付き竿先カバー。
【請求項２】
竿先カバーの筒状体の先端部に配設の発光部は、発光した光を先端部周囲にも照明する透明樹脂層から形成されていることを特徴とする請求項１に記載の振出竿の道糸ガイド環への道糸通し用光ファイバー製リード棒付き竿先カバー。
【請求項３】
竿先カバーの筒状体の後端外部に後端を延ばした道糸通し用リード棒は、その後端を道糸挟持用の切り込みを有する環状体からなる道糸挟持部に形成されていることを特徴とする請求項１又は２に記載の振出竿の道糸ガイド環への道糸通し用光ファイバー製リード棒付き竿先カバー。
【発明の詳細な説明】
【技術分野】
【０００１】
本発明は、振出竿からなる釣り竿の竿先を保護するために装着する竿先カバーにおいて、竿の道糸ガイド環内に釣糸を簡易に通すための糸通し用リード棒を備えた竿先カバーに関し、特に夜間や暗所においても竿の道糸ガイド環の中に糸通しを容易に行えるように竿先カバーおよび糸通し用リード棒を視認可能に発光させた竿先カバーの構造に関するものである。
【背景技術】
【０００２】
振出竿からなる釣り竿を振出竿内に順次収納して短縮し、短縮した振出竿を持ち運ぶ際に釣り竿の細い竿先、特に道糸ガイド環付きの振出竿の竿先を痛まないようにするため、竿先を保護する必要がある。そこで、このように細い竿先を保護するものとして、従来より竿先カバーが開発されている。この竿先カバーとして、先端に弾性のある緩衝体を有するカバーから形成されているもの（例えば、特許文献１参照。）がある。
【０００３】
さらに、これらの竿先カバーに道糸を通すめの道糸通し用のリード棒を設けることにより、振出竿を縮めた状態で複数の竿に設けられた道糸ガイド環に順次に糸通しを行いうるようにしたもの（例えば、特許文献２参照。）がある。
【０００４】
これらは、振出竿の先竿に竿先カバーを装着する際には、糸通し用リード棒を竿の道糸ガイド環内に順次通しておき、リード棒の後方先端に設けられた孔にリールから引き出した釣り糸を通して釣り糸を結んで係止し（例えば、特許文献３参照。）た後、竿先カバーを竿先から外して道糸ガイド環から糸通し用リード棒を引抜くことで道糸ガイド環に糸を通すようにするものである。また、糸通し用のリード棒を可撓性の素材とするもの（例えば、特許文献４参照。）や、リード棒の使用に伴う経時的な変形を可及的に回避するべく予めリード棒を固定している根元の部分、すなわち竿先カバーの先端部において揺動自在となるようにしたものも開発されている（例えば、特許文献５参照。）。
【０００５】
釣り竿を縮めて収納し、収納した釣り竿を持ち運ぶ際に、細い竿先を痛めぬ手段として使用する竿先カバーは上述のとおり種々開発されている。しかし、釣り場において使用する際には、さらにその周囲の自然環境の状況に応じた使用し易さが追求されなければ十分とはいえない。すなわち、例えば手元が見えにくい暗い時間帯に釣りをする場合、振出竿の複数個の道糸ガイド環に道糸を通そうとしても、竿に付けてある道糸ガイド環そのものが見えにくく視認性が非常に悪いため、暗闇の中で道糸ガイド環に手で道糸を通していくことは容易でなく、とりわけ釣りの初心者にとっては容易でない。さらに、リール竿では、リールから引き出された道糸は巻き癖がついていてクルクルと丸まってしまう傾向にあるため、道糸ガイド環に通していくのは、真っ直ぐの道糸を通すのと違い根気の要る作業である。また、釣り場は足場の悪いところが多いので、作業に熟練や時間を要することは安全上からも好ましくない。加えて、竿そのものが撓みやすい素材である場合、風の強い状況下では一層に作業が困難となり、時間をとられる要因となっている。
【０００６】
この点、上記したように従来から竿先カバーに道糸通し用リード棒を備えているものが開発されてはいるものの、薄暗い釣り場では手元が見えにくいため、これらの道糸通し用リード棒を道糸ガイド環に通していくだけでも、慣れた者でなければ細かい作業に難渋することとなる。他方、懐中電灯を片手にもって作業するならば、たしかに視界は確保できるが、その反面、片手をふさがれてしまい作業性に劣るほか、足場の悪い暗い場所で釣りをしていくうちに、そもそも作業し終えて照明を消した懐中電灯そのものを見失ってしまうことも偶々発生する。そのためにもっと端的に見やすく視認性を向上しうる簡易な手段を模索する必要がある。
【０００７】
さらに、釣りに不慣れな者は、仕掛けの結び付けや釣り糸の係止に時間を要するが、とりわけ薄暗い所ではこれらの作業は困難となる。このため道糸通し用リード棒の孔に道糸を通して結んで係止することは簡単ではなく、無用な時間を要する一因となっている。
【０００８】
【特許文献１】実開昭５４−１８２３９０号公報
【特許文献２】実公平２−３２０６２号公報
【特許文献３】実全昭５７−７６４７１号公報
【特許文献４】実開昭５６−１５０３７６号公報
【特許文献５】特開平８−２８０３０２号公報
【発明の開示】
【発明が解決しようとする課題】
【０００９】
そこで、本発明が解決しようとする課題は、夕暮れ時、深夜、早朝等、視界の悪い暗い釣り場においても、釣り竿以外に懐中電灯などの照明具を必要とせず、かつ、熟練を要することなく、振出竿の道糸通し用リード棒に道糸を容易に係止でき、さらに簡易迅速に振出竿の道糸ガイド環に道糸通しができる竿先カバーを提供することである。
【課題を解決するための手段】
【００１０】
上記の課題を解決するための本発明の手段は、請求項１の発明では、閉じた筒状体の先端部に一端を係止し、かつ、該筒状体内に引き込められた複数の番竿の道糸ガイド環を貫通し該筒状体の後端外部に後端を延ばした道糸通し用リード棒を有する振出竿の竿先カバーにおいて、該道糸通し用リード棒を光ファイバーから形成し、該竿先カバーの筒状体の先端部に発光部を配設し、該発光部に該道糸通し用リード棒の先端を接続し、該道糸通し用リード棒の後端を該発光部から発する光の照明部としたことを特徴とする振出竿の道糸ガイド環への道糸通し用光ファイバー製リード棒付き竿先カバーである。
【００１１】
すなわち、順次直径が太くなっていく多段式の中空の複数の竿からなり、入れ子状に収納可能な伸縮式の先竿、中間竿、元竿の各竿からなる振出竿に配設の道糸ガイド環に、道糸を挿通するための竿先カバーにおいて、この竿先カバーの筒状体の内側に、光ファイバーからなる道糸通し用リード棒を配設し、該竿先カバーの先端部に道糸通し用リード棒の一方端を係止し、竿先カバー先端部に配設の発光部から発する光を光ファイバーからなる道糸通し用リード棒中に通すことにより、道糸通し用リード棒の後端の照明部から周囲を発光により照明し、道糸通し用リード棒に対する道糸通しを視認しながら実施しやすくした道糸ガイド環付き振出竿に装着する光ファイバー製の糸通し用のリード棒を有する竿先カバーである。ところで、本発明における「光ファイバー」とはプラスチック光ファイバーとして一般的な民生用として使用されるアクリル製のコア材料とその周囲のクラッド材料からなるプラスチック光ファイバーであるが、本発明では道糸通し用リード棒の棒の周囲から多少の光が漏洩してもよいので、コア材料のみからなるアクリル棒などの透明プラスチック棒のみからなるものであってもよい。したがって、本発明における「光ファイバー」にはこのようなプラスチックのみからなるものも含む。
【００１２】
請求項２の発明では、竿先カバーの筒状体の先端部に配設の発光部は、発光した光を先端部周囲にも照明する透明樹脂層から形成されていることを特徴とする請求項１の手段の振出竿の道糸ガイド環への道糸通し用光ファイバー製リード棒付き竿先カバーである。
【００１３】
請求項３の発明では、竿先カバーの筒状体の後端外部に後端を延ばした道糸通し用リード棒は、その後端を道糸挟持用の切り込みを有する環状体からなる道糸挟持部に形成されていることを特徴とする請求項１又は２の手段の振出竿の道糸ガイド環への道糸通し用光ファイバー製リード棒付き竿先カバーである。
【発明の効果】
【００１４】
本発明は、請求項１の発明では、振出竿の竿先カバーの先端部に発光部を配設し、道糸通し用リード棒の後端から周囲を発光により照明するので、竿先カバーの道糸通し用リード棒による道糸通しを視認しながら振出竿の道糸ガイド環に通すことができる。請求項２の発明では、竿先カバーの発光部からの道糸通し用リード棒の光ファイバーを通る発光の一部を分岐して竿先カバーの先端側も発光により周囲を照明するものとし、道糸通し用リード棒の後端に付加して先端側も照明したことで、竿先カバーの周囲を一層明るく照明でき、釣り場での仕掛けや餌つけなどの手元作業が容易となり、格別に懐中電灯を釣り場で使用する必要をなくし、さらに暗闇で釣り竿の末端をうっかり踏みつけることがあるが、本発明の釣り竿では竿先カバーの道糸通し用リード棒の先端部が発光しているので、うっかり踏みつけることがない。さらに請求項３の発明では、筒状体の後端から後方に伸びている道糸通し用リード棒の後端部を環状体として道糸を挟持する道糸挟持部に形成しているので、この道糸挟持部に道糸を係合しその係合した両側の道糸を後方へ引っ張ることで挟持して確実に係止できるので、従来の結ぶという指先による細かい作業に比して素早くかつ容易に道糸通し用リード棒の後端部に道糸を係止でき、本発明は優れた効果を奏するものである。
【発明を実施するための最良の形態】
【００１５】
本発明の最良の実施の形態について図面を参照しながら説明する。図１は本発明の振出竿の竿先カバー１の１実施の形態を示す図で、請求項１の手段の竿先カバー１では、先端を閉じた筒状体２と、その先端に透明樹脂層からなる表層部３ａを有する発光部３と、発光部３に接続した先端４ａから後方に後端４ｂを延ばした光ファイバーからなる道糸通し用リード棒４を有し、筒状体２の後端外面に発光部３の電源をオン−オフするスイッチ５を有し、スイッチ５から発光部３の電源に至る配線が筒状体２内に、図示しないが、張られている。この道糸通し用リード棒４用の光ファイバーはアクリルやポリカーボネートなどのプラスチック系の光ファイバーからなり、その直径は略１．５ｍｍの透明な棒体から形成する。発光部３にはボタン電池の電源部と発光ダイオード制御部と発光ダイオード等を内蔵している。この場合、もちろん発光ダイオードに換えてクリプトン球や微小豆電球とすることもできる。この場合は電源部は必要であるが、発光ダイオード制御部は不要である。さらに発光部３から発する光は、発光部３の後端に接続の光ファイバーからなる道糸通し用リード棒４の先端４ａから筒状体２の後端外部まで延びる道糸通し用リード棒の後端４ｂの照明部に通され周囲を照明する。
【００１６】
本発明の請求項２の手段の竿先カバー１は、上記の請求項１の手段の構成において、さらに竿先カバー１の筒状体２の先端部に配設されている発光部３の表層部３ａを透明樹脂層から形成し、発光部３で発光した光を分岐して竿先カバー１の先端周囲を照明することができるものとしている。この発光部３は例えばネジ螺合した先端部とその基部から形成し、両者間に設けたネジ螺合を外して中の電池の交換ができる構造のものとする。
【００１７】
本発明の請求項３の手段の竿先カバー１は、上記の請求項１又は請求項２の手段の構成において、竿先カバー１の筒状体２の先端部の発光部３の後端に先端４ａを接続し、この先端４ａから、図４に示すように、筒状体２内を後方に伸びる道糸通し用リード棒４の後端４ｂを環状体４ｃとした道糸挟持部２０に形成している。この道糸挟持部２０は環状体４ｃの一端に先端が道糸２２の糸径よりも狭い幅の隙間２１を有し、この隙間２１に道糸２２を挟み込み、その係合した道糸２２の両側を先方に引っ張ることで隙間２１への食い込みを高めて接合する。
【００１８】
なお、従来の竿先カバーと同様に、収納した振出竿の竿先を保護する際には、図３では図示していないが、竿先カバー１の筒状体２の一部を後方に延ばしたその後方側の筒状体２にゴム製等のバンドを取り付け、縮めた振出竿の元竿に竿先カバー１をバンドで緊締するものとする。
【００１９】
本発明の竿先カバー１の使用方法について説明する。この竿先カバー１を適用する釣り竿は振出竿１０からなり、例えば穂先の１番竿１２から７番竿１８までを元竿１９に縮めて収納した状態もので図２に示す。この図２の例の場合、振出竿１０は７番竿１８まで有するが、５番竿１６までのように番竿の少ないものでもよい。これらの釣り竿は道糸２２を通す道糸ガイド環１１をそれぞれ有する。図２に示すように、道糸ガイド環１１は各番竿の口金部分に固定して形成されるが、それらの固定の道糸ガイド環１１の間に竿を遊動できる道糸ガイド環１１を設けているものにもこの竿先カバー１は適応できる。
【００２０】
図２に示すように振出竿１０を縮め、図３に示すように、この縮めた振出竿１０の先端側の１番竿１２の道糸ガイド環１１から順番に２番竿１３の道糸ガイド環１１、３番竿１４の道糸ガイド環１１と最後の元竿１９の道糸ガイド環１１に竿先カバー１の道糸通し用リード棒４の後端側から挿通する。この場合、図４に示すように予め道糸通し用リード棒４の後端４ｂを道糸挟持部２０に形成しておく。もちろん本発明の請求項１では、道糸係止具２０は必須ではない。この場合は、手で道糸通しリード棒４の後端４ｂに道糸２２を結わえ、また手で結びを解くものとする。振出竿１０を持ち運ぶ際は、道糸通し用リード棒４の後端４ｂに道糸係止具２０を係止した状態で竿先カバー１を元竿１９に図示しないバンドで締め付け外れないようにして取り付けて竿先を保護するものとする。
【００２１】
このように竿先を竿先カバー１で保護した振出竿１０を運んで釣り場に着くと、図３に示すように縮めた振出竿１０の各道糸ガイド環１１に道糸通しリード棒４を挿通した状態で道糸挟持部２０に道糸２２を挿通し、道糸２２の両端を後方に引っ張り、道糸挟持部２０の後端側の細い隙間２１に挟み込み挟持させる。この状態で道糸２２は道糸挟持部２０から抜け落ちることはない。このように道糸挟持部２０に道糸２２を挟持すると、竿先カバー１を道糸通しリード棒４と共に元竿１９に締めつけている図示しないバンドを外して竿先カバー１を前方に移動することにより道糸通しリード棒４を元竿１９の道糸ガイド環１１から前方に抜いて行きくことにより各番竿の道糸ガイド環１１に道糸２２を順次に通し、最後に１番竿１２の先端の道糸ガイド環１１から道糸通しリード棒４を抜きさり、この道糸ガイド環１１に道糸２２を通しきると、道糸通しリード棒４の後端の道糸挟持部２０の隙間２１から道糸２２を前方に引っ張って外す。外した道糸２２の先端にハリス取付用のサルカン係止具を取り付けるなどの釣りの仕掛けを準備をする。
【００２２】
上記の竿先カバー１の取り付け、取り外しなどの作業において、周囲が暗い場合には、竿先カバー１の筒状体２に設けられたスイッチ５を入れて発光部３の電源を入れ、その先端の表層部３ａおよび道糸通し用リード棒４の後端４ｂのそれぞれを発光により照明させ、それらの周囲を照明するものとする。
【図面の簡単な説明】
【００２３】
【図１】本発明の竿先カバーを示す側面図である。
【図２】道糸ガイド環を有する振出竿を縮めた状態の斜視図である。
【図３】道糸ガイド環を有する振出竿に竿先カバーを取り付けた側面図である。
【図４】本発明に使用する道糸挟持部を後端に有する道糸通し用リード棒を示す図である。
【符号の説明】
【００２４】
１  竿先カバー
２  筒状体
３  発光部
３ａ  表層部
４  道糸通し用リード棒
４ａ  先端
４ｂ  後端
５  スイッチ
１０  振出竿
１１  道糸ガイド環
１２  １番竿
１３  ２番竿
１４  ３番竿
１５  ４番竿
１６  ５番竿
１７  ６番竿
１８  ７番竿
１９  元竿
２０  道糸挟持部
２１  隙間
２２  道糸
【図１】
2006166786.tif 000003
【図２】
2006166786.tif 000004
【図３】
2006166786.tif 000005
【図４】
2006166786.tif 000006